(57)【要約】【課題】  電撃感を受けることなく、好適に除電機能が発揮される把手などの樹脂成形体であり、かつ図１に示した自動車用アーチ型把手表面などに取り付ける場合でも従来の成形品同等の優れた意匠効果を有するものを提供するところにある。【解決手段】  １×１０8〜１×１０１０Ωの表面抵抗率の表面を有する合成樹脂成形体からなる除電成形体であって、  前記合成樹脂成形体に、パール顔料やガラスフレークが含まれており、パール顔料の場合は、前記合成樹脂全量に対して１０重量％以下、ガラスフレークの場合は、５０重量％以下含まれている除電成形体である。【選択図】図１
2006089726.tif 000002
【特許請求の範囲】
【請求項１】
１×１０8〜１×１０１０Ωの表面抵抗率の表面を有する合成樹脂成形品からなる除電成形体であって、
前記合成樹脂成形体に、パール顔料が前記合成樹脂全量に対して１０重量％以下含まれている除電成形体。
【請求項２】
１×１０8〜１×１０１０Ωの表面抵抗率の表面を有する合成樹脂成形体からなる除電成形体であって、
前記合成樹脂成形体に、ガラスフレークが前記合成樹脂全量に対して５０重量％以下含まれている除電成形体。
【請求項３】
請求項１または２記載の除電成形体から構成された把手。
【請求項４】
１×１０8〜１×１０１１Ωの表面抵抗率を有する合成樹脂成形体からなる除電成形体であって、
前記合成樹脂が熱可塑性樹脂エラストマーである除電成形体。
【請求項５】
１×１０8〜１×１０１０Ωの表面抵抗率を有する合成樹脂成形体と、その合成樹脂成形体の裏面に、自動車の把手等などの表面に接着する接着層を備えた除電成形体。
【請求項６】
前記除電成形体の表面には、長手方向に延びるリブ状突起が複数本形成されている請求項５記載の除電成形体。
【請求項７】
前記除電成形体が、把手に巻き付けるウィング部を有する請求項５または６記載の除電成形体。
【請求項８】
前記いずれかの請求項記載の除電成形体から構成される建築用のドアハンドル、ドアノブ、レバノブ。
【請求項９】
鍵の表面に形成される除電シート又はフィルム、又は鍵用の除電合成樹脂製ケースであって、除電成形シート又はフィルム又は除電合成樹脂製ケースが１×１０8〜１×１０１０Ωの表面抵抗率を有する鍵用除電シート、フィルム、鍵用の除電合成樹脂製ケース。
【発明の詳細な説明】
【技術分野】
【０００１】
本発明は、人体に帯電した静電気を除去する除電成形体に関する。
【背景技術】
【０００２】
人体に帯電した静電気を除去する除電機能が付与された樹脂成形品が提案されている（特許文献１）。
【０００３】
【特許文献１】特開１１−３０２３９９号公報
【発明の開示】
【発明が解決しようとする課題】
【０００４】
しかし、把手などの実際の樹脂成形品には、色彩など意匠効果のため、パール顔料やガラスフレークなどを添加することがあるが、これら添加剤を含む成形体について、人体に帯電した静電気を除去する構成は未だあきらかにされていない。また、その除電機能が最も発揮する好ましい形状や形態、使用態様なども同様である。また、除電は、金属などの導体に人体が接触した際に一気に放電されて電撃感を受けることがあってもならない。
【０００５】
本発明の課題は、電撃感を受けることなく、好適に除電機能が発揮される把手などの樹脂成形体を提供するところにある。
【課題を解決するための手段】
【０００６】
上記課題を解決する手段は、１×１０8〜１×１０１０Ωの表面抵抗率の表面を有する合成樹脂成形品からなる除電成形体において、下記の手段を採ることである。
まず、上記合成樹脂成形体に、パール顔料が前記合成樹脂全量に対して１０重量％以下含まれている除電成形体とすることであり、
また、上記合成樹脂成形体に、ガラスフレークが前記合成樹脂全量に対して５０重量％以下含まれている除電成形体とすることである。
また、上記いずれかの除電成形体から構成された把手とすることである。
【０００７】
更に１×１０8〜１×１０１１Ωの表面抵抗率を有する合成樹脂成形体からなる除電成形体において、下記の手段を採ってもよい。
まず、合成樹脂が熱可塑性樹脂エラストマーである除電成形体とすることである。
また、上記除電成形体の表面には、長手方向に延びるリブ状突起が複数本形成されている蒸気除電成形体とすることであり、
また、上記除電成形体が、把手に巻き付けるウィング部を有する上記除電成形体とすることである。
また、上記いずれかの除電成形体から構成される建築用のドアハンドル、ドアノブ、レバノブとすることである。
【０００８】
また、鍵の表面に形成される除電シート又はフィルムであって、除電成形シート又はフィルムが１×１０8〜１×１０１０Ωの表面抵抗率を有する鍵用除電シート又はフィルムとしてもよい。
【発明の効果】
【０００９】
本発明は、上記の通りであるので、電撃感を受けることなく、好適に除電機能が発揮される把手などの樹脂成形体とできる一方、従来の成形品同様の優れた意匠効果などを付与することができる。
【発明を実施するための最良の形態】
【００１０】
好ましい除電樹脂は、１０８Ω〜１０１０Ωである。スチレン系など熱可塑性エラストマー樹脂では１０１１Ωが上限値である。
【００１１】
それ自身、表面抵抗値が１０８Ω〜１０１０Ωの成形体であっても、ガラスフレークやパール顔料を入れると絶縁の方向に振れていく（多ければ多い程、絶縁方向に行く傾向）があることが見出された。従って、本発明は、既述の通りの含有量にすることが好ましいことを見出した。
【００１２】
用途としては、車ドア用、建築ドア用把手に適用できるが、デザイン等、意匠面でも好適な樹脂の厚みを調整することが好ましい。
【００１３】
なお、これらの樹脂成形体は、基本（樹脂ベース）に、ガラスフレーク、パール顔料を含有させた物と、塗装等の２次加工をした物によって得られる。
【００１４】
図１は、自動車用アーチ型把手表面に取り付ける本発明にかかる樹脂成形体の一実施形態を示す正面図、図２は同背面図、図３は同右側面図、図４は同左側面図、図５は同前面図、図６は同後面図である。また図７はアーチ型把手表面に取り付けられた上記樹脂成形体の使用状態を示す同正面図、図８は同右側面図、図９は同左側面図、図１０は同前面図、図１１は同後面図である。
【００１５】
この実施形態の樹脂成形体には、前記除電成形体の表面には、長手方向に延びるリブ状突起が複数本形成されており、人体が接触面積を増大させて、除電性能を形状乃至構造的に向上させている。
【００１６】
また図１２は、自動車用一般型把手表面に取り付ける本発明にかかる樹脂成形体の他実施形態を示す正面図、図１３は同背面図、図１４は同右側面図、図１５は同左側面図、図１６は同上面図、図１７は同底面図である。また図１８は自動車用一般型把手表面に取り付けられた上記樹脂成形体の使用状態を示す正面図、図１９は同右側面図、図２０は同左側面図、図２１は同上面図、図２２は同底面図である。
【００１７】
この実施形態の樹脂成形体にも、同様に、長手方向に伸びる溝を挟んで平板状のリブ状突起が形成されており、除電性能を形状乃至構造的に向上させている。
【００１８】
なお、把手に取り付けやすくするために、前記除電成形体が、把手に巻き付けるウィング部を有する樹脂成形体として構成してもよい。図２３は把手に巻き付けるウィング部１０、１１を有する半透明の成形体１であり、同図（ａ）は巻き込みタイプアーチ型の背面図、（ｂ）は同左側面図、（ｃ）は同正面図、（ｄ）は同右側面図である。
【００１９】
図２４は、他実施形態のウィング部１２を有する一般把手型用の樹脂成形体１３を示す図であり、同図（ａ）は巻き込みタイプアーチ型の背面図、（ｂ）は同左側面図、（ｃ）は同正面図、（ｄ）は同右側面図である。
【００２０】
これらは、いずれも背面に接着剤層又は粘着剤層を有していることが好ましく、剥離シートを有する両面接着テープなどを利用して接着剤層又は粘着剤層を形成することができる。
【産業上の利用可能性】
【００２１】
本発明は、既存の自動車等の把手、建築用ドアハンドル、ドアノブ、ドアレバー、マンション等の鍵、鍵用合成樹脂製カバー、自動車用ハンドル、建築用の各種樹脂成形品、女性用等の靴底、エレベーターの金属操作板など、各種の成形品やシート、フィルム、或は合成樹脂製カバーのほか、繊維製品にも適用することができる。
【図面の簡単な説明】
【００２２】
【図１】自動車用アーチ型把手表面に取り付ける本発明にかかる樹脂成形体の一実施形態を示す正面図である。
【図２】同背面図である。
【図３】同右側面図である。
【図４】同左側面図である。
【図５】同前面図である。
【図６】同後面図である。
【図７】アーチ型把手表面に取り付けられた上記樹脂成形体の使用状態を示す同正面図である。
【図８】同右側面図である。
【図９】同左側面図である。
【図１０】同前面図である。
【図１１】同後面図である。
【図１２】自動車用一般型把手表面に取り付ける本発明にかかる樹脂成形体の他実施形態を示す正面図である。
【図１３】同背面図である。
【図１４】同右側面図である。
【図１５】同左側面図である。
【図１６】同上面図である。
【図１７】同底面図である。
【図１８】自動車用一般型把手表面に取り付けられた上記樹脂成形体の使用状態を示す正面図である。
【図１９】同右側面図である。
【図２０】同左側面図である。
【図２１】同上面図である。
【図２２】同底面図である。
【図２３】把手に巻き付けるウィング部を有する半透明の成形体を示す図である。同図（ａ）は巻き込みタイプアーチ型の背面図、（ｂ）は同左側面図、（ｃ）は同正面図、（ｄ）は同右側面図である。
【図２４】他実施形態のウィング部１２を有する一般把手型用の樹脂成形体１３を示す図である。同図（ａ）は巻き込みタイプアーチ型の背面図、（ｂ）は同左側面図、（ｃ）は同正面図、（ｄ）は同右側面図である。
【図１】
2006089726.tif 000003
【図２】
2006089726.tif 000004
【図３】
2006089726.tif 000005
【図４】
2006089726.tif 000006
【図５】
2006089726.tif 000007
【図６】
2006089726.tif 000008
【図７】
2006089726.tif 000009
【図８】
2006089726.tif 000010
【図９】
2006089726.tif 000011
【図１０】
2006089726.tif 000012
【図１１】
2006089726.tif 000013
【図１２】
2006089726.tif 000014
【図１３】
2006089726.tif 000015
【図１４】
2006089726.tif 000016
【図１５】
2006089726.tif 000017
【図１６】
2006089726.tif 000018
【図１７】
2006089726.tif 000019
【図１８】
2006089726.tif 000020
【図１９】
2006089726.tif 000021
【図２０】
2006089726.tif 000022
【図２１】
2006089726.tif 000023
【図２２】
2006089726.tif 000024
【図２３】
2006089726.tif 000025
【図２４】
2006089726.tif 000026